(57)【要約】【課題】  解析に必要な動作ログを容易に収集可能な無線基地局を得る。【解決手段】  無線基地局１の各ログ収集メモリ１１ａ〜１３ａに動作ログを常時保存しておき、網インタフェース部１２により無線基地局１のネットワーク側に関する異常が検出された場合には、その異常が検出されてから一定時間経過後に無線基地局１を自己リセットすることで、通信経路３の断線等の異常は改善することはできないが、無線基地局１の網インタフェース部１２のハングアップ等は改善することができ、異常時の動作ログを制御局２に送信することができる。このため、保守者は無線基地局１の設置場所に赴くことなく、解析に必要な動作ログを容易に収集することができる。【選択図】        図１
2005184248.tif 000002
【特許請求の範囲】
【請求項１】
当該無線基地局の動作ログを保存するログ保存手段と、
当該無線基地局の異常を検出する異常検出手段と、
上記異常検出手段により検出された異常が当該無線基地局のネットワーク側に関する異常である場合に、その異常検出されてから一定時間経過後に当該無線基地局をリセットするリセット手段と、
上記リセット手段によるリセット後にそのリセット直前までに上記ログ保存手段に保存された動作ログを制御局に送信するログ送信手段とを備えた無線基地局。
【請求項２】
制御局に設けられ、請求項１記載の無線基地局から通信経路を通じて受信される動作ログを保存する受信ログ保存手段と、
上記受信ログ保存手段に保存された動作ログを取り出し自在にするログ収集手段とを備えたことを特徴とする通信システム。
【請求項３】
当該無線基地局の動作ログを保存するログ保存手段と、
当該無線基地局の異常を検出する異常検出手段と、
上記異常検出手段により検出された異常が当該無線基地局のネットワーク側に関する異常である場合に、その異常検出されてから一定時間経過後に当該無線基地局をリセットするリセット手段と、
上記リセット手段によるリセット後に所定時間経過しても上記異常検出手段により当該無線基地局のネットワーク側に関する異常が検出される場合に、上記ログ保存手段に保存された動作ログを保守者端末に送信する内蔵通信手段とを備えた無線基地局。
【請求項４】
保守者端末に設けられ、請求項３記載の無線基地局の内蔵通信手段と無線通信し、動作ログを受信する通信手段と、
保守者端末に設けられ、上記通信手段により受信される動作ログを保存する受信ログ保存手段とを備えたことを特徴とする通信システム。
【発明の詳細な説明】
【技術分野】
【０００１】
この発明は、携帯電話等の移動体通信に用いられる無線基地局および通信システムに関するものである。
【背景技術】
【０００２】
従来の無線基地局では、制御プログラムに基づくその無線基地局の動作状況をログ情報（システムの障害発生の原因を調査するために用いられる通信記録）として取得し、制御局からの指示により、取得したログ情報をその制御局に送信していた（例えば、特許文献１参照）。
【０００３】
【特許文献１】特開２００１−１５７２４７号公報
【発明の開示】
【発明が解決しようとする課題】
【０００４】
従来の無線基地局は以上のように構成されているので、その無線基地局のネットワーク側に異常が発生した場合は、制御局にログ情報を送信することができず、保守者がその対象となる無線基地局の設置場所に赴き、無線基地局を直に触ってログ情報を取り出す必要があり、ログ情報の収集に手間暇がかかるなどの課題があった。
【０００５】
この発明は上記のような課題を解決するためになされたもので、解析に必要な動作ログを容易に収集可能な無線基地局および通信システムを得ることを目的とする。
【課題を解決するための手段】
【０００６】
この発明に係る無線基地局は、異常検出手段により検出された異常が無線基地局のネットワーク側に関する異常である場合に、異常検出されてから一定時間経過後に無線基地局をリセットするリセット手段と、リセット後にそのリセット直前までにログ保存手段に保存された動作ログを制御局に送信するログ送信手段とを備えたものである。
【発明の効果】
【０００７】
この発明によれば、無線基地局のネットワーク側に関する異常である場合には、無線基地局をリセットすることで、通信経路の断線等は改善できないが、無線基地局のネットワーク側のハードウエアのハングアップ等は改善でき、異常時の動作ログを制御局に送信することができる。このため、保守者は無線基地局の設置場所に赴くことなく、解析に必要な動作ログを容易に収集することができる。
また、無線基地局の主導でリセット後に即座に動作ログを送信することができ、無線基地局の異常時にはその動作ログの解析を素早く始めることができる。
さらに、送信される動作ログは、リセット直前までのものであり、解析に不要な動作ログを少なくすることができ、動作ログの解析時間を短縮することができる効果がある。
【発明を実施するための最良の形態】
【０００８】
実施の形態１．
図１はこの発明の実施の形態１による通信システムを示すブロック図であり、図において、無線基地局１は、携帯電話（図示せず）等と無線通信するものである。
制御局（受信ログ保存手段）２は、複数の無線基地局１を通信経路３を通じて制御すると共に、無線基地局１から通信経路３を通じて動作ログを受信し、ログ収集専用サーバ（受信ログ保存手段）４に保存するものである。
システム監視制御装置（ログ収集手段）５は、通信システム全体を監視制御するものであり、保守者により制御局２を通じてログ収集専用サーバ４に保存された動作ログを取り出し自在にするものである。
【０００９】
また、無線基地局１において、送受信部（ログ保存手段、異常検出手段）１１は、携帯電話等と無線信号を送受信処理し、網インタフェース部（ログ保存手段、異常検出手段、ログ送信手段）１２は、通信経路３等のネットワーク側と有線信号を送受信処理し、制御部（ログ保存手段、異常検出手段）１３は、この無線基地局１の通信制御を行うものである。これら送受信部１１、網インタフェース部１２および制御部１３には、それぞれ自身の異常を検出する機能が設けられ、また、それぞれ動作中のログを保存する不揮発性メモリからなるログ収集メモリ（ログ保存手段）１１ａ〜１３ａが設けられている。
保守監視部（異常検出手段、リセット手段、ログ送信手段）１４は、送受信部１１、網インタフェース部１２および制御部１３からの異常通知を管理し、この無線基地局１における通常の異常が発生した場合には、各ログ収集メモリ１１ａ〜１３ａに保存された動作ログを網インタフェース部１２および通信回線３を通じて制御局２に送信し、この無線基地局１におけるネットワーク側に関する異常が発生した場合には、その異常検出されてから一定時間経過後に無線基地局１をリセットし、リセット後にそのリセット直前までに各ログ収集メモリ１１ａ〜１３ａに保存された動作ログを網インタフェース部１２および通信回線３を通じて制御局２に送信するものである。
【００１０】
次に動作について説明する。
図２はこの発明の実施の形態１による無線基地局の動作を示すフローチャートであり、図１および図２を参照しながら動作について説明する。
無線基地局１内の送受信部１１、網インタフェース部１２および制御部１３は、動作中に各自の動作ログを各ログ収集メモリ１１ａ〜１３ａに保存する（ステップＳＴ１）。
図３は動作ログのデータ例を示す説明図である。無線基地局１では、アプリケーションプログラムがファームウエアに対してコマンドを発行し、ファームウエアがハードウエアを制御し、その結果をレスポンスとしてアプリケーションに返している。この図３における動作ログの一行が１つのコマンドまたはレスポンスに対応するものである。各ログ収集メモリ１１ａ〜１３ａでは、このようなアドレス、タイムスタンプ、コマンド／レスポンスおよびデータ（終了コード）からなる動作ログをロールバッファ方式で保存している。なお、図３において、正常／異常は、レスポンスにおけるデータ内の（終了コード）で判別可能なものである。
【００１１】
また、無線基地局１内の送受信部１１、網インタフェース部１２および制御部１３は、各部において動作中に異常が検出された場合に保守監視部１４に通知し、保守監視部１４は、無線基地局１内において異常が発生した場合に（ステップＳＴ２）、その発生した異常がネットワーク側の異常であるか判断する（ステップＳＴ３）。この判断は、網インタフェース部１２から保守監視部１４に通知される異常データによって行うことができる。
保守監視部１４では、ステップＳＴ３において、ネットワーク側の異常でなければ、各ログ収集メモリ１１ａ〜１３ａに保存された動作ログを網インタフェース部１２および通信回線３を通じて制御局２に送信する（ステップＳＴ４）。制御局２では、通信経路３を通じて受信される動作ログをログ収集専用サーバ４に保存する。
【００１２】
また、保守監視部１４では、ステップＳＴ３において、ネットワーク側に関する異常である場合、すなわち、ネットワーク側との通信経路３の断線により接続断になった場合や、網インタフェース部１２のハードウエアにコマンドを発行してもレスポンスが返ってくることなく、タイムアウトになった場合等、網インタフェース部１２のアラーム状態を検出した場合に、そのアラーム状態を検出してから予め指定された時間Ａ（数分〜数時間）経過後に（ステップＳＴ５）、無線基地局１全体を自己リセットする（ステップＳＴ６）。このリセットにより、通信経路３の断線等は改善できないものの、網インタフェース部１２のハードウエアが何らかの理由でハングアップした場合等は、無線基地局１が初期化されることで網インタフェース部１２の異常状態を改善することができる。そして、無線基地局１の再起動後に、保守監視部１４は、そのリセット直前までに各ログ収集メモリ１１ａ〜１３ａに保存された動作ログを、改善された網インタフェース部１２および通信回線３を通じて制御局２に送信する（ステップＳＴ４）。制御局２では、通信経路３を通じて受信される動作ログをログ収集専用サーバ４に保存する。
保守者は、必要に応じてシステム監視制御装置５から制御局２を通じてログ収集専用サーバ４に保存された動作ログを取り出し、その動作ログの解析を行うことができる。
【００１３】
以上のように、この実施の形態１によれば、無線基地局１の各ログ収集メモリ１１ａ〜１３ａに動作ログを常時保存しておき、無線基地局１に通常の異常が発生した場合には、その保存された動作ログを制御局２に送信し、無線基地局１のネットワーク側に関する異常が発生した場合には、一定時間経過後に無線基地局１を自己リセットすることで、無線基地局１のネットワーク側のハードウエアのハングアップ等は改善でき、異常時の動作ログを制御局２に送信することができる。このため、保守者は無線基地局１の設置場所に赴くことなく、解析に必要な動作ログを容易に収集することができる。
また、制御局２からの指示により無線基地局１から動作ログを送信するのではなく、無線基地局１の主導でリセット後に即座に動作ログを送信することができ、無線基地局１の異常時にはその動作ログの解析を素早く始めることができる。
さらに、送信される動作ログは、リセット直前までのものであり、解析に不要な動作ログを少なくすることができ、動作ログの解析時間を短縮することができる。
さらに、制御局２にログ収集専用サーバ４を設けたことにより、無線基地局１のリセットのタイミングによらず動作ログを受信し、保存することができる。
【００１４】
実施の形態２．
図４はこの発明の実施の形態２による通信システムを示すブロック図であり、図において、無線基地局１の保守監視部（異常検出手段、リセット手段）１５には、専用アンテナ１５ｂを有する内蔵無線機（内蔵通信手段）１５ａが設けられ、また、保守者が携帯する保守者端末（通信手段）１６には、受信される動作ログを保存するメモリ（受信ログ保存手段）１６ａおよび端末アンテナ１６ｂが設けられている。
保守監視部１５は、無線基地局１をリセット後に所定時間経過しても網インタフェース部１２により無線基地局１のネットワーク側に関する異常が検出される場合に、内蔵無線機１５ａを用いて、保守者端末１６に無線通信し、各ログ収集メモリ１１ａ〜１３ａに保存された動作ログを保守者端末１６に送信し、保守者端末１６では、受信された動作ログをメモリ１６ａに保存するものである。
その他の構成については、上記実施の形態１と同等である。
【００１５】
次に動作について説明する。
図５はこの発明の実施の形態２による無線基地局の動作を示すフローチャートであり、図４および図５を参照しながら動作について説明する。
無線基地局１の動作ログの保存（ステップＳＴ１）から自己リセット（ステップＳＴ６）までの動作は、上記実施の形態１と同等である。
この実施の形態２の保守監視部１５は、無線基地局１をリセット後に、そのリセットしてから予め指定された時間Ｂ（数分〜数時間）経過しても網インタフェース部１２により無線基地局１のネットワーク側に関する異常が検出される場合に（ステップＳＴ７，ＳＴ８）、この異常は、図４に示したように、通信経路３の断線等によるものであり、リセットによる改善は期待できない異常であると判断して、内蔵無線機１５ａを用いて専用アンテナ１５ｂから子機間通信モードで保守者端末１６に制御信号を送信する（ステップＳＴ９）。
【００１６】
無線基地局１および制御局２間の通信経路３に断線等の異常がある場合には、制御局２からシステム監視制御装置５にその経路異常が通知されるので、保守者は、システム監視制御装置５において通信経路３に経路異常があることを認識することができる。通信経路３の経路異常を認識した保守者は、対応する無線基地局１付近に赴き、携帯している保守者端末１６を使用する。保守者端末１６は、端末アンテナ１６ｂにより保守監視部１５の内蔵無線機１５ａからの制御信号を受信すると、応答信号を内蔵無線機１５ａに返す。これにより、内蔵無線機１５ａは保守者端末１６と子機間通信が可能となる（ステップＳＴ１０）。
保守者端末１６と子機間通信が可能となった内蔵無線機１５ａは、各ログ収集メモリ１１ａ〜１３ａに保存された動作ログを、専用アンテナ１５ｂを通じて保守者端末１６に電波で送信する（ステップＳＴ１１）。保守者端末１６では、受信された動作ログをメモリ１６ａに保存する。保守者はこのメモリ１６ａに保存された動作ログの解析を行うことができる。
【００１７】
以上のように、この実施の形態２によれば、無線基地局１を自己リセットしてから所定時間経過しても、無線基地局１のネットワーク側に関する異常が検出される場合には、通信経路３の断線等によるものであり、自己リセットでは改善が期待できないと判断して、この場合は、内蔵無線機１５ａにより動作ログを子機間通信で保守者端末１６に送信することができる。このため、保守者は無線基地局１の設置場所近くに赴く必要があるものの、無線基地局１を直に触って動作ログを取り出すことなく、保守者端末１６を用いて解析に必要な動作ログを容易に収集することができる。
また、保守者端末１６にメモリ１６ａを設けたことにより、無線基地局１と子機間通信を行うことができれば、即座に動作ログを受信し、保存することができる。
【図面の簡単な説明】
【００１８】
【図１】この発明の実施の形態１による通信システムを示すブロック図である。
【図２】この発明の実施の形態１による無線基地局の動作を示すフローチャートである。
【図３】動作ログのデータ例を示す説明図である。
【図４】この発明の実施の形態２による通信システムを示すブロック図である。
【図５】この発明の実施の形態２による無線基地局の動作を示すフローチャートである。
【符号の説明】
【００１９】
１  無線基地局、２  制御局（受信ログ保存手段）、３  通信経路、４  ログ収集専用サーバ（受信ログ保存手段）、５  システム監視制御装置（ログ収集手段）、１１  送受信部（ログ保存手段、異常検出手段）、１１ａ〜１３ａ  ログ収集メモリ（ログ保存手段）、１２  網インタフェース部（ログ保存手段、異常検出手段、ログ送信手段）、１３  制御部（ログ保存手段、異常検出手段）、１４  保守監視部（異常検出手段、リセット手段、ログ送信手段）、１５  保守監視部（異常検出手段、リセット手段）、１５ａ  内蔵無線機（内蔵通信手段）、１５ｂ  専用アンテナ、１６  保守者端末（通信手段）、１６ａ  メモリ（受信ログ保存手段）、１６ｂ  端末アンテナ。
【図１】
2005184248.tif 000003
【図２】
2005184248.tif 000004
【図３】
2005184248.tif 000005
【図４】
2005184248.tif 000006
【図５】
2005184248.tif 000007